(57)【要約】      （修正有）【課題】記録装置と通信端末との間の通信が干渉を受けることなく常に良好に行う。【解決手段】インクジェットプリンタ１は、記録用紙１００に記録を行う記録ヘッドユニット１３と、記録ヘッドユニット１３に取り付けられたヘッド通信部と、ヘッド通信部と近距離無線通信によって通信可能なヘッド用アンテナと、外部から近づけられる通信端末と近距離無線通信によって通信可能な通信端末用アンテナ４２と、を備える。通信端末用アンテナ４２は、ヘッド通信部から発信される電波が届かない位置にある。【選択図】図３
2014004755.tif 000002
【特許請求の範囲】
【請求項１】
被記録媒体に記録を行う記録ヘッドユニットと、
前記記録ヘッドユニットに取り付けられたヘッド通信部と、
前記ヘッド通信部と近距離無線通信によって通信可能な第１通信部と、
外部から近づけられる通信端末と近距離無線通信によって通信可能な第２通信部と、を備え、
前記第２通信部は、前記ヘッド通信部から発信される電波が届かない位置にあることを特徴とする記録装置。
【請求項２】
前記記録ヘッドユニットは、インクの液滴をそれぞれ噴射する複数のノズルを有するインクジェットヘッドを備え、
前記複数のノズルを覆うように前記記録ヘッドユニットに装着可能なキャップを備え、
前記キャップに、前記第１通信部が取り付けられていることを特徴とする請求項１に記載の記録装置。
【請求項３】
前記記録ヘッドユニットは、所定の走査方向に移動しつつ前記被記録媒体に記録を行い、
前記第２通信部は、前記記録ヘッドユニットの前記走査方向における位置にかかわらず前記ヘッド通信部から発信される前記電波が届かない位置にあることを特徴とする請求項１に記載の記録装置。
【請求項４】
前記記録ヘッドユニットは、インクの液滴をそれぞれ噴射する複数のノズルを有するインクジェットヘッドを備え、
前記記録ヘッドユニットの移動範囲の所定位置に配置されており、前記記録ヘッドユニットが前記所定位置にあるときに前記複数のノズルを覆うように前記記録ヘッドユニットに装着可能なキャップを備え、
前記キャップに、前記第１通信部が取り付けられていることを特徴とする請求項３に記載の記録装置。
【請求項５】
前記キャップが前記記録ヘッドユニットに装着された状態において、前記第１通信部は、前記インクジェットヘッドに接触しないことを特徴とする請求項２又は４に記載の記録装置。
【請求項６】
前記キャップが前記記録ヘッドユニットに装着された状態において、前記ヘッド通信部と前記第１通信部とは通信可能であり、前記キャップが前記記録ヘッドユニットに装着されていない状態において、前記ヘッド通信部と前記第１通信部とは通信不能であることを特徴とする請求項２、４、５の何れかに記載の記録装置。
【請求項７】
前記第１通信部は、前記記録ヘッドユニットの移動範囲の前記走査方向における一端側に設けられ、
前記第２通信部は、前記記録ヘッドユニットの移動範囲の前記走査方向における他端側に設けられていることを特徴とする請求項３又は４に記載の記録装置。
【請求項８】
前記ヘッド通信部から発信される電波の到達可能距離が、前記第２通信部から発信される電波の到達可能距離よりも短いことを特徴とする請求項１〜７の何れかに記載の記録装置。
【請求項９】
前記インクジェットヘッドの少なくとも一部分が金属材料で形成されていることを特徴とする請求項１〜８の何れかに記載の記録装置。
【請求項１０】
前記記録ヘッドユニットは交換可能に構成され、
前記第１通信部は、前記ヘッド通信部から、現在取り付けられている前記記録ヘッドユニットに関する情報を取得することを特徴とする請求項１〜９の何れかに記載の記録装置。
【発明の詳細な説明】
【技術分野】
【０００１】
本発明は、被記録媒体に文字や画像などを記録する記録装置に関する。
【背景技術】
【０００２】
被記録媒体に文字や画像などを記録する記録装置の分野において、近年、ＮＦＣ（Near Field Communication）やＲＦＩＤ（Radio Frequency IDentification）等の近距離無線通信を行うものが提案されている。
【０００３】
例えば、特許文献１に記載の記録装置（インクジェットプリンタ）においては、インクカートリッジに、そのインクカートリッジの有効期限等の情報を記憶し、記録装置と近距離無線通信可能なＩＣタグが設けられている。また、記録装置には、ＩＣタグと近距離無線通信可能なタグリーダが設けられている。記録装置は、インクカードリッジに設けられたＩＣタグに電波を発信して無線通信を行うことにより、ＩＣタグに記憶された情報を取得可能となっている。
【０００４】
また、例えば、特許文献２に記載のプリンタ機能、ファクシミリ機能、スキャナ機能を備えた記録装置（複合機）は、通信端末（ＩＣカード）と通信可能なカードリーダライタを備えており、通信端末に電波を発信して通信端末と近距離無線通信により無線通信を行う。記録装置は、通信端末と無線通信を行うことにより、通信端末内の記録装置へのログイン情報等のデータを取得可能となっている。
【先行技術文献】
【特許文献】
【０００５】
【特許文献１】特開２００６−２０５７４３号公報
【特許文献２】特開２００８−１２３４７６号公報
【発明の開示】
【発明が解決しようとする課題】
【０００６】
このように、記録装置の分野においては、近距離無線通信を行うものが数多く存在し、１つの記録装置で複数の近距離無線通信を行う場合も考えられる。例えば、特許文献１に記載の記録装置と特許文献２に記載の記録装置とを組み合わせた場合、記録装置は、インクカートリッジに設けられたＩＣタグ及び通信端末と近距離無線通信を行うこととなる。この場合において、通信端末に対して発信する電波がインクカートリッジに設けられたＩＣタグに到達すると、ＩＣタグが電波を誤って発信する可能性がある。そして、ＩＣタグが電波を誤発信すると、記録装置と通信端末との通信が妨げられる可能性がある。
【０００７】
本発明の目的は、記録装置と通信端末との間の通信が干渉を受けることなく常に良好に行われることを目的とする。
【課題を解決するための手段】
【０００８】
第１の発明に係る記録装置は、被記録媒体に記録を行う記録ヘッドユニットと、前記記録ヘッドユニットに取り付けられたヘッド通信部と、前記ヘッド通信部と近距離無線通信によって通信可能な第１通信部と、外部から近づけられる通信端末と近距離無線通信によって通信可能な第２通信部と、を備え、前記第２通信部は、前記ヘッド通信部から発信される電波が届かない位置にあることを特徴とする。
【０００９】
本発明では、第１通信部と記録ヘッドユニットに取り付けられたヘッド通信部との間で近距離無線通信が行われることによって、記録ヘッドユニットの記録特性等に関する情報が取得される。一方、第２通信部と外部の通信端末との間で近距離無線通信が行われることによって、記録データの受信等が行われる。ここで、ヘッド通信部から発信される電波が第２通信部には届かない構成となっているため、第２通信部とヘッド通信部との間で通信が成立しない。従って、ヘッド通信部により、第２通信部と通信端末との間の通信が妨げられない。これにより、第２通信部と通信端末との間の通信が干渉を受けることなく常に良好に行われる。
【００１０】
第２の発明に係る記録装置は、第１の発明に係る記録装置において、前記記録ヘッドユニットは、インクの液滴をそれぞれ噴射する複数のノズルを有するインクジェットヘッドを備え、前記複数のノズルを覆うように前記記録ヘッドユニットに装着可能なキャップを備え、前記キャップに、前記第１通信部が取り付けられていることを特徴とする。
【００１１】
本発明では、記録ヘッドユニットに装着されるキャップに、第１通信部が取り付けられているため、記録ヘッドユニットに取り付けられたヘッド通信部と第１通信部との間で、非常に短い距離での近距離無線通信が可能となる。また、キャップは、記録装置に必要な部材であるため、第１通信部を取り付ける新たな部材を設ける必要がない。
【００１２】
第３の発明に係る記録装置は、第１の発明に係る記録装置において、前記記録ヘッドユニットは、所定の走査方向に移動しつつ前記被記録媒体に記録を行い、前記第２通信部は、前記記録ヘッドユニットの前記走査方向における位置にかかわらず前記ヘッド通信部から発信される前記電波が届かない位置にあることを特徴とする。
【００１３】
本発明では、記録ヘッドユニットは、所定の走査方向に移動しつつ被記録媒体に記録を行うため、記録ヘッドユニットに取り付けられたヘッド通信部は、記録ヘッドユニットとともに移動する。このため、ヘッド通信部は、通信端末と無線通信を行う第２通信部と近接した位置を取り得るが、記録ヘッドユニットの位置にかかわらず、ヘッド通信部から発信される電波が第２通信部には届かない構成となっている。従って、第２通信部とヘッド通信部との間で通信が成立しないため、ヘッド通信部により、第２通信部と通信端末との間の通信が妨げられない。これにより、第２通信部と通信端末との間の通信が干渉を受けることなく常に良好に行われる。
【００１４】
第４の発明に係る記録装置は、第３の発明に係る記録装置において、前記記録ヘッドユニットは、インクの液滴をそれぞれ噴射する複数のノズルを有するインクジェットヘッドを備え、前記記録ヘッドユニットの移動範囲の所定位置に配置されており、前記記録ヘッドユニットが前記所定位置にあるときに前記複数のノズルを覆うように前記記録ヘッドユニットに装着可能なキャップを備え、前記キャップに、前記第１通信部が取り付けられていることを特徴とする。
【００１５】
本発明では、記録ヘッドユニットに装着されるキャップに、第１通信部が取り付けられているため、記録ヘッドユニットに取り付けられたヘッド通信部と第１通信部との間で、非常に短い距離での近距離無線通信が可能となる。また、キャップは、記録装置に必要な部材であるため、第１通信部を取り付ける新たな部材を設ける必要がない。
【００１６】
第５の発明に係る記録装置は、第２又は第４の発明に係る記録装置において、前記キャップが前記記録ヘッドユニットに装着された状態において、前記第１通信部は、前記インクジェットヘッドに接触しないことを特徴とする。
【００１７】
本発明では、キャップが記録ヘッドユニットに装着された状態において、第１通信部が、インクジェットヘッドに接触しないため、第１通信部にインクジェットヘッドが噴射したインクの一部が周囲に飛散したインクミストが付着し、通信に影響が出ることが防止される。また、第１通信部が、前記のインクミストが付着するなどして汚れている場合に、その状態で第１通信部がインクジェットヘッドに接触してインクジェットヘッドが汚れることが防止される。
【００１８】
第６の発明に係る記録装置は、第２、第４、第５の発明に係るいずれかの記録装置において、前記キャップが前記記録ヘッドユニットに装着された状態において、前記ヘッド通信部と前記第１通信部とは通信可能であり、前記キャップが前記記録ヘッドユニットに装着されていない状態において、前記ヘッド通信部と前記第１通信部とは通信不能であることを特徴とする。
【００１９】
本発明では、キャップが記録ヘッドユニットに装着された状態において、ヘッド通信部と第１通信部とは通信可能であり、キャップが記録ヘッドユニットに装着されていない状態において、ヘッド通信部と第１通信部とは通信不能であるため、ヘッド通信部から発信される電波の到達可能距離が非常に短い。このため、ヘッド通信部により、通信端末との間の通信を妨げられる可能性のある第２通信部の配置の自由度が増す。
【００２０】
第７の発明に係る記録装置は、第３又は第４の発明に係る記録装置において、前記第１通信部は、前記記録ヘッドユニットの移動範囲の前記走査方向における一端側に設けられ、前記第２通信部は、前記記録ヘッドユニットの移動範囲の前記走査方向における他端側に設けられていることを特徴とする。
【００２１】
本発明では、第１通信部が、記録ヘッドユニットの移動範囲の走査方向における一端側に設けられ、第２通信部が、前記記録ヘッドユニットの移動範囲の走査方向における他端側に設けられているため、第１通信部と第２通信部が記録ヘッドユニットの走査方向において互いに反対側に位置している。従って、記録ヘッドユニットに取り付けられたヘッド通信部と第１通信部との間の無線通信時の電波が第２通信部に到達しにくい。
【００２２】
第８の発明に係る記録装置は、第１〜第７の発明に係るいずれかの記録装置において、前記ヘッド通信部から発信される電波の到達可能距離が、前記第２通信部から発信される電波の到達可能距離よりも短いことを特徴とする。
【００２３】
本発明では、ヘッド通信部から発信される電波の到達可能距離が短いため、ヘッド通信部により、通信端末との間の通信を妨げられる可能性のある第２通信部を設ける場所の制約が小さくなり、第２通信部の配置の自由度が増す。なお、電波の「到達可能距離」は、通信規格、各通信部から発信される電波の周波数、電波強度（振幅）、あるいは、周囲に電波の伝播を阻害する導電部材等が存在するか否か、等の様々な条件に左右される。
【００２４】
第９の発明に係る記録装置は、第１〜第８の発明に係るいずれかの記録装置において、前記インクジェットヘッドの少なくとも一部分が金属材料で形成されていることを特徴とする。
【００２５】
本発明では、インクジェットヘッドの少なくとも一部分が金属材料で形成されているため、ヘッド通信部の近くに金属材料（導体）が存在する。従って、ヘッド通信部から発信される電波が周囲に広がりにくく、電波の到達可能距離が短くなる。
【００２６】
第１０の発明に係る記録装置は、第１〜第９の発明に係るいずれかの記録装置において、前記記録ヘッドユニットは交換可能に構成され、前記第１通信部は、前記ヘッド通信部から、現在取り付けられている前記記録ヘッドユニットに関する情報を取得することを特徴とする。
【００２７】
本発明では、第１通信部により、ヘッド通信部から、現在取り付けられている記録ヘッドユニットに関する情報が取得されるから、記録ヘッドユニットが新しいものと交換されたときに、第１通信部によりヘッド通信部との間の通信が行われて、新しい記録ヘッドユニットに関する情報（例えば、記録ヘッドユニットの記録特性等）が取得される。
【発明の効果】
【００２８】
本発明では、第１通信部と記録ヘッドユニットに取り付けられたヘッド通信部との間で近距離無線通信が行われることによって、記録ヘッドユニットの記録特性等に関する情報が取得される。一方、第２通信部と外部の通信端末との間で近距離無線通信が行われることによって、記録データの受信等が行われる。ここで、ヘッド通信部から発信される電波が第２通信部には届かない構成となっているため、第２通信部とヘッド通信部との間で通信が成立しない。従って、ヘッド通信部により、第２通信部と通信端末との間の通信が妨げられない。これにより、第２通信部と通信端末との間の通信が干渉を受けることなく常に良好に行われる。
【図面の簡単な説明】
【００２９】
【図１】本発明の実施形態に係るインクジェットプリンタの斜視図である。
【図２】図１のII-II線における断面図である。
【図３】図２のIII-III線における断面図である。
【図４】待機位置における記録ヘッドユニット及びキャップ等を示す概略正面図である。
【図５】待機位置における記録ヘッドユニット及びキャップ等を示す概略斜視図である。
【図６】インクジェットプリンタの電気的構成を概略的に示すブロック図である。
【図７】本発明をライン型のインクジェット方式に適用した例を示す図である。
【図８】ヘッド通信部を設ける位置の他の例を示す図である。
【図９】ヘッド用アンテナを設ける位置の他の例を示す図である。
【図１０】インクカートリッジが装着される位置の他の例を示す図である。
【発明を実施するための形態】
【００３０】
以下、本発明の実施形態について説明する。図１は、本実施形態に係るインクジェットプリンタの斜視図である。なお、図１に示される、インクジェットプリンタが使用されるときの設置状態において、上下、左右、前後の各方向が定義されている。図２は、図１のII-II線における断面図、図３は、図２のIII-III線における断面図である。
【００３１】
インクジェットプリンタ１（記録装置）は、図１に示すように、合成樹脂材料で形成された略直方体状のプリンタ筐体２と、このプリンタ筐体２に回動自在に取り付けられたカバー３と、を有する。
【００３２】
図２、図３に示すように、プリンタ筐体２には、記録用紙１００（被記録媒体）に画像等を記録するプリンタ部４と、プリンタ部４に記録用紙１００を供給する給紙機構５と、プリンタ部４の後述するインクジェットヘッド１８のメンテナンスを行うメンテナンスユニット６と、記録用紙に記録された画像や文字などを読み取るスキャナ部７と、が収容されている。また、プリンタ筐体２の上面の前方には、ユーザによるインクジェットプリンタ１の各種操作を受け付ける操作パネル８が配置されている。なお、各部の構成については後述する。
【００３３】
図１、図２に示すように、プリンタ筐体２の前面には、操作パネル８の下方に、開閉蓋９が取り付けられている。この開閉蓋９は、その後端部に設けられた図示しない回転軸を介してプリンタ筐体２に取り付けられており、回転軸を中心に、プリンタ筐体２に対して回動自在となっている。ユーザは、この開閉蓋９を開いて、インクジェットプリンタ１の前方から、後述する排紙トレイ１０ｂに排出された記録用紙１００を取り出したり、後述する記録ヘッドユニット１３やインクカートリッジ１９を交換したりすることが可能となっている。
【００３４】
図１に示すように、カバー３は、プリンタ筐体２の上方において、プリンタ筐体２の上面を覆うように、プリンタ筐体２の操作パネル８よりも後方に配置されている。また、カバー３は、その後端部に設けられた図示しない回転軸を介してプリンタ筐体２に取り付けられており、回転軸を中心に、プリンタ筐体２に対して上下に回動自在となっている。
【００３５】
図２に示すように、給紙機構５は、プリンタ筐体２に装着される給紙カセット１０と、この給紙カセット１０から記録用紙１００を取り出すピックアップローラ１１と、を有する。給紙カセット１０は、積み重ねられた記録用紙１００を保持するメイントレイ１０ａと、このメイントレイ１０ａの上方に設けられ、後述のプリンタ部４によって記録された記録用紙１００が排出される排紙トレイ１０ｂと、を有する。ピックアップローラ１１は、メイントレイ１０ａの上方に配置され、プリンタ筐体２に設けられた回転軸を中心に回転自在に構成されており、給紙モータ８１（図６参照）によって駆動されることによって給紙カセット１０のメイントレイ１０ａから記録用紙１００を１枚ずつ取り出す。ピックアップローラ１１によって取り出された記録用紙１００は、給紙カセット１０の先端部に設けられた傾斜面１０ｃに沿って上方へ押し上げられ、プリンタ部４に供給される。
【００３６】
図２、図３に示すように、プリンタ部４は、プリンタ筐体２内に配置され、記録用紙１００に記録を行う。プリンタ部４は、給紙機構５の上方に配置されている。また、プリンタ部４は、左右方向（走査方向）に往復移動可能なキャリッジ１２、キャリッジ１２に搭載された記録ヘッドユニット１３、記録用紙１００を水平面に沿って前方（搬送方向）に搬送する搬送機構１４等を有する。
【００３７】
プリンタ筐体２内には、記録用紙１００を支持するプラテン１５が水平な姿勢で設置されている。このプラテン１５の上方には、走査方向に平行に延びる２つのガイドレール１６、１７が設けられている。そして、キャリッジ１２は、キャリッジ駆動モータ７９（図６参照）によって駆動されることによって、プラテン１５上の記録用紙１００と対向する領域において、２本のガイドレール１６、１７に沿って走査方向（左右方向）に移動する。
【００３８】
記録ヘッドユニット１３は、プラテン１５との間に隙間を有する状態で下部にインクジェットヘッド１８を備えており、４色（シアン（Ｃ）、マゼンタ（Ｍ）、イエロー（Ｙ）、ブラック（ＢＫ））のインクをそれぞれ貯留する４つのインクカートリッジ１９を保持するものである。この記録ヘッドユニット１３は、キャリッジ１２に対して着脱可能となっている。ユーザは、インクジェットヘッド１８が劣化等した場合には、記録ヘッドユニット１３を新しいものと交換することができる。また、インクジェットヘッド１８には、ステンレス鋼からなる金属製のプレートが含まれている。従って、インクジェットヘッド１８の少なくとも一部分が金属材料で形成されている。また、インクカートリッジ１９は、記録ヘッドユニット１３に対して着脱可能となっている。ユーザは、インクカードリッジ１９にインクがなくなった場合は、新しいものと交換することができる。
【００３９】
インクジェットヘッド１８の下面には、開口した複数のノズル２０が設けられている。また、複数のノズル２０は、搬送方向に沿って配列されて、４色のインク（シアン、マゼンタ、イエロー、ブラック）をそれぞれ噴射する４列のノズル列を構成している。この複数のノズル２０が、インクカートリッジ１９から供給されるインクの液滴をそれぞれ噴射する。すなわち、記録ヘッドユニット１３は、インクカードリッジ１９より供給されたインクの液滴を複数のノズル２０からそれぞれ噴射し、キャリッジ１２とともに走査方向（左右方向）に移動しつつ、記録用紙１００に記録を行う。
【００４０】
また、記録ヘッドユニット１３は、キャリッジ１２とともに、プラテン１５上を搬送される記録用紙１００と対向する範囲だけでなく、この範囲から左右方向（走査方向）外側に外れた位置まで移動可能である。特に、図３に示すように、記録用紙１００と対向する範囲よりも右側の位置は、記録ヘッドユニット１３を使用しないときにキャリッジ１２が待機する待機位置であり、待機位置に到達したときに、下側に配置されている後述のメンテナンスユニット６と対向するようになっている。
【００４１】
搬送機構１４は、プラテン１５及びキャリッジ１２を挟むように前後に配置された２つの搬送ローラ対２１、２２を有する。これらの搬送ローラ対２１、２２は、搬送モータ８１（図６参照）によってそれぞれ駆動され、インクジェットヘッド１８とプラテン１５の間において、記録用紙１００を前方（搬送方向）へ搬送する。
【００４２】
以上のとおり説明したプリンタ部４は、プラテン１５上の記録用紙１００に対して、キャリッジ１２を走査方向（左右方向）に移動させつつインクジェットヘッド１８からインクを噴射させる一方で、２つの搬送ローラ対２１、２２によって記録用紙１００を搬送方向に搬送することにより、記録用紙１００に所望の画像や文字などを記録するように構成されている。このように、インクジェットプリンタ１は、シリアル型のインクジェットプリンタである。
【００４３】
図３に示すように、メンテナンスユニット６は、プラテン１５の右側の位置、すなわち、待機位置において待機している記録ヘッドユニット１３と対向する位置に配置されている。このメンテナンスユニット６は、キャップ２３、吸引ポンプ２４、ワイパー２５等を有する。
【００４４】
図４は、待機位置における記録ヘッドユニット１３及びキャップ２３等を示す概略正面図、図５は、待機位置における記録ヘッドユニット１３及びキャップ２３等を示す概略斜視図である。図示するように、キャップ２３は、インクジェットヘッド１８を覆うことが可能なゴム等の弾性部材からなるキャップ部材２６と、キャップ部材２６を保持するキャップホルダ２７と、から構成されている。また、キャップ２３は、記録ヘッドユニット１３の移動範囲の所定位置、具体的には、記録ヘッドユニット１３の移動範囲の走査方向（左右方向）における一端側（右端側）に設けられている。また、キャップ２３は、モータ等の駆動源とギヤ等との動力伝達機構によって構成されたキャップ駆動部８２（図６参照）によって上下方向に昇降駆動される。そして、待機位置に記録ヘッドユニット１３が位置している状態で、キャップ２３は、上方に移動して複数のノズル２０をキャップ部材２６が覆うように記録ヘッドユニット１３に装着可能となる（キャッピング）。また、後述する吸引パージ後に、キャップ２３は、下方に移動して、記録ヘッドユニット１３から離れ、図４及び図５に示す位置に戻る。
【００４５】
吸引ポンプ２４は、キャップ２３に接続されており、キャップ２３のキャッピング状態で、キャップ２３内の空気を吸引して内部を減圧することで、複数のノズル２０からキャップ２３内へインクを強制的に排出する（吸引パージ）。この吸引パージによって、インクに混入している気泡や塵、あるいは、増粘したインク等を排出することで、ノズル２０の噴射異常の発生を防止するとともに、噴射異常が発生した場合にはその噴射性能を回復させることが可能である。ワイパー２５は、キャップ２３の左側に設けられ、吸引パージ後にインクジェットヘッド１８が待機位置からプラテン１５側へ移動する際に、インクジェットヘッド１８に付着したインクを拭き取る（ワイピング）。
【００４６】
図２に示すように、スキャナ部７は、左右方向に往復移動可能なキャリッジ２８、キャリッジ２８に搭載されたイメージスキャナ２９、を有している。プリンタ筐体２内の上部には、走査方向（左右方向）に平行に延びるガイドレール３０が設けられている。そして、キャリッジ２８は、キャリッジ駆動モータ（不図示）によって駆動されることによって、プリンタ筐体２内の開口３１に嵌め込まれた板部材３２と対応する領域においてガイドレール３０に沿って走査方向（左右方向）に移動し、イメージスキャナ２９により、記録用紙がスキャンされる。すなわち、本実施形態のインクジェットプリンタ１は、プリント、スキャン、コピーなどを実行可能な複合機として構成されている。
【００４７】
図１、図２に示すように、操作パネル８は、プリンタ筐体２の上面の前方に設けられており、各種の操作ボタン３３〜３７やタッチパネル式の液晶ディスプレイ３８などを有している。液晶ディスプレイ３８は、各種の情報を表示し、ユーザは、この液晶ディスプレイ３８を操作して、インクジェットプリンタ１の各種操作を行うことが可能である。この操作パネル８の下方には、図２に示すように、操作パネル８を制御するパネル制御基板３９が設けられている。パネル制御基板３９には、操作パネル８を制御するためのパネル制御回路７２（図６参照）や操作ボタン３３〜３７のスイッチ等が配置されている。
【００４８】
本実施形態に係るインクジェットプリンタ１は、記録ヘッドユニット１３に取り付けられたヘッド通信部４０と、近距離無線通信の一種である、ＲＦＩＤによって通信を行い、ヘッド通信部４０が記憶するインクジェットヘッド１８の記録特性等の記録ヘッドユニット１３に関する情報（以下、「ヘッド情報」ともいう。）を取得可能となっている。以下、詳述する。
【００４９】
図４及び図５に示すように、ヘッド通信部４０は、記録ヘッドユニット１３に取り付けられている。具体的には、ヘッド通信部４０は、記録ヘッドユニット１３下部のインクジェットヘッド１８に設けられている。ヘッド通信部４０は、記録ヘッドユニット１３下部のインクジェットヘッド１８に設けられているから、ワイパー２５によるインクジェットヘッド１８のワイピング時に、ヘッド通信部４０に付着したインクも同時に拭き取られる。また、ヘッド通信部４０は、上述のように、ヘッド情報を記憶している。ヘッド情報に含まれるインクジェットヘッド１８の記録特性としては、例えば、インクジェットヘッド１８のインクの噴射速度や噴射量等が挙げられる。ヘッド情報は、記録ヘッドユニット１３の工場出荷時に、ヘッド通信部４０に書き込まれるようになっている。
【００５０】
図４及び図５に示すように、キャップ２３には、ヘッド通信部４０と近距離無線通信によって通信可能なヘッド用アンテナ４１（第１通信部）が設けられている。具体的には、ヘッド用アンテナ４１は、キャップ部材２６の下方であって、キャップホルダ２７の上面に設けられた凹部に収容されている。このように、ヘッド用アンテナ４１は、記録ヘッドユニット１３の移動範囲の走査方向（左右方向）における一端側（右端側）に位置するキャップ２３に取り付けられているから、記録ヘッドユニット１３の移動範囲の走査方向（左右方向）における一端側（右端側）に設けられていることとなる。また、ヘッド用アンテナ４１は、キャップ部材２６とキャップホルダ２７との間（キャップ２３の内部）に設けられているため、キャップ２３が記録ヘッドユニット１３に装着された状態において、記録ヘッドユニット１３のインクジェットヘッド１８に接触しない。
【００５１】
キャップ２３が記録ヘッドユニット１３のインクジェットヘッド１８に装着されると（キャッピング）、ヘッド通信部４０とヘッド用アンテナ４１との間でＲＦＩＤによる通信が行われる。詳細には、ヘッド用アンテナ４０が発信する電波をヘッド通信部４０のアンテナ４０ａ（図６参照）が受信すると、アンテナ４０ａは、受信した電波により、起電力を発生し、ヘッド通信部４０は、それを電源として動作する。そして、ヘッド通信部４０は、制御回路４０ｂ（図６参照）により制御され、制御回路４０ｂが記憶しているヘッド情報をアンテナ４０ａより電波として発信する。また、ヘッド用アンテナ４１は、ヘッド通信部４０から発信される電波を受信する。ここで、ヘッド通信部４０は、設置スペースが小さくなるよう、非常に小型化されているから、ヘッド通信部４０から発信される電波は、到達可能距離Ｌ１が非常に短い（１〜２ｃｍ程度）。このため、キャップ２３が記録ヘッドユニット１３に装着された状態において、ヘッド通信部４０とヘッド用アンテナ４１とは通信可能であり、キャップ２３が記録ヘッドユニット１３に装着されていない状態において、ヘッド通信部４０とヘッド用アンテナ４１とは通信不能である。なお、ヘッド通信部４０からは、球状に電波が発信されるが、図３においては、２次元的に一部の領域のみを示している。また、ヘッド用アンテナ４１から発信される電波も、ヘッド通信部４０同様、到達可能距離が非常に短い（１〜２ｃｍ程度）。
【００５２】
また、本実施形態に係るインクジェットプリンタ１は、携帯電話やスマートフォン等の通信端末２００と、近距離無線通信の一種である、ＮＦＣによる通信を行い、通信端末２００から画像や文字などの記録データの受信が可能となっている。
【００５３】
図１、図３に示すように、操作パネル８の下方に配置されているパネル制御基板３９には、外部から近づけられる通信端末２００とＮＦＣによって通信可能な通信端末用アンテナ４２（第２通信部）が設けられている。具体的には、通信端末用アンテナ４２は、パネル制御基板３９の上面の左端側、すなわち、記録ヘッドユニット１３の移動範囲の走査方向（左右方向）における他端側（左端側）に設けられている。この通信端末用アンテナ４２は、ループ状のアンテナであって、ループ部分が水平方向と略平行となっている。通信端末２００は、図示しないループ状のアンテナが、通信端末２００の厚さ方向と直交する方向と略平行にループ部分が内蔵されているから、通信端末用アンテナ４２上方の略水平な操作パネル８に通信端末２００が設置されると、インクジェットプリンタ１の通信端末用アンテナ４２と通信端末２００のアンテナとは、ループ部分が略平行に対向する。
【００５４】
通信端末用アンテナ４２上方の操作パネル８に通信端末２００が設置されると、インクジェットプリンタ１側の通信端末用アンテナ４２と通信端末２００側のアンテナとの間でＮＦＣによる通信が行われる。詳細には、インクジェットプリンタ１側のループ状の通信端末用アンテナ４２と通信端末のループ状のアンテナの、一方のアンテナから磁界が発生すると、電磁誘導によって他方のアンテナに誘導電流が生じることによって、一方のアンテナから他方のアンテナによりデータが受信される。そして、双方のアンテナの送信（磁界発生）と受信（誘導電流発生）の機能を交互に切り換えることによって、インクジェットプリンタ１と通信端末２００の間での双方向通信が可能となる。
【００５５】
本実施形態では、ヘッド通信部４０とヘッド用アンテナ４１との間で行われるＲＦＩＤによる近距離無線通信は、１３．５６ＭＨｚを中心とした例えば１０〜１５ＭＨｚの短波帯の周波数帯で行われる。また、通信端末２００と通信端末用アンテナ４２との間で行われるＮＦＣによる近距離無線通信は、１３．５６ＭＨｚを中心とした例えば１０〜１５ＭＨｚの周波数帯で行われる。このように、ヘッド通信部４０とヘッド用アンテナ４１との間での近距離無線通信の周波数帯と、通信端末２００と通信端末用アンテナ４２との間での近距離無線通信の周波数帯とは、重複している。従って、ヘッド通信部４０から発信される電波が通信端末用アンテナ４２に届くと、同周波数帯で行われている通信端末２００と通信端末用アンテナ４２との間のＮＦＣによる近距離無線通信が妨げられる可能性がある。例えば、ヘッド通信部４０から発信される同周波数帯の電波がノイズとなって、通信端末２００と通信端末用アンテナ４２との間の無線通信性能を劣化させる可能性がある。また、ヘッド通信部４０から発信される同周波数帯の電波を通信端末用アンテナ４２が受信し、通信端末用アンテナ４２が誤動作する可能性もある。
【００５６】
そこで、本実施形態では、ヘッド通信部４０とヘッド用アンテナ４１との通信時において、すなわち、キャップ２３が記録ヘッドユニット１３に装着された状態（キャッピング時）において、記録ヘッドユニット１３の移動範囲の走査方向（左右方向）における一端側（右端側）にヘッド通信部４０が位置している。一方、パネル制御基板３９の左端側に設けられた通信端末用アンテナ４２は、記録ヘッドユニット１３の移動範囲の走査方向（左右方向）における他端側（右端側）に位置する。従って、ヘッド通信部４０から電波が発信される状態において、ヘッド通信部４０と通信端末用アンテナ４１とは、記録ヘッドユニット１３の移動範囲の走査方向（左右方向）における両端に位置し、通信端末用アンテナ４２は、ヘッド通信部４０から発信される電波の到達可能距離Ｌ１よりもヘッド通信部４０から遠い位置に位置するため、ヘッド通信部４０から発信される電波が届かない位置にある。
【００５７】
通信端末用アンテナ４２から発信される電波の到達可能距離Ｌ２は、１０ｃｍ程度である。このため、記録ヘッドユニット１３の移動範囲の走査方向における他端側（左端側）において（図３における破線で示した記録ヘッドユニット１３の位置）、すなわち、ヘッド通信部４０が通信端末用アンテナ４２に最も接近した状態において、通信端末用アンテナ４２から発信される電波により、ヘッド通信部４０が誤動作し、電波を発信する可能性がある。例えば、通信端末２００と通信端末用アンテナ４２とが通信を行っている場合、特に大きなサイズの記録データを通信端末２００から受信した場合に、通信終了までに、受信した一部の記録データに基づく記録用紙１００へのプリンタ部４による記録が始まることがある。このとき、通信端末２００と通信端末用アンテナ４２との通信中に、記録ヘッドユニット１３が走査方向（左右方向）に移動して、ヘッド通信部４０が通信端末用アンテナ４２に最も接近した状態となる可能性がある。しかしながら、記録ヘッドユニット１３が左側に移動して、ヘッド通信部４０が通信端末用アンテナ４２に最も接近した状態においても、ヘッド通信部４０は、プリンタ筐体２内の後方に位置し、通信端末用アンテナ４２は、プリンタ筐体２内の前方に位置する。従って、ヘッド通信部４０と通信端末用アンテナ４２とは、プリンタ筐体２内の記録用紙１００の搬送方向の前方と後方の離れた位置にあり、通信端末用アンテナ４２は、ヘッド通信部４０から発信される電波の到達可能距離Ｌ１よりもヘッド通信部４０から遠い位置に位置する。このため、プリンタ筐体２後方においてヘッド通信部４０から発信される電波は、プリンタ筐体２前方に位置する通信端末用アンテナ４２には届かない。なお、通信端末用アンテナ４２からは、球状に電波が発信されるが、図３においては、２次元的に一部の領域のみを示している。
【００５８】
なお、通信端末用アンテナ４２から発信される電波の到達可能距離Ｌ２は、１０ｃｍ程度であり、ヘッド通信部４０から発信される電波の到達可能距離Ｌ１は１〜２ｃｍ程度であるため、ヘッド通信部４０から発信される電波の到達可能距離Ｌ１は、通信端末用アンテナ４２から発信される電波の到達可能距離Ｌ２より短い。
【００５９】
次に、インクジェットプリンタ１の電気的な構成について説明する。図６は、インクジェットプリンタ１の電気的構成を概略的に示すブロック図である。インクジェットプリンタ１の動作を制御する制御基板４３は、外部装置であるＰＣ３００と、入出力インターフェース（Ｉ／Ｆ）７１を介してデータ通信可能に接続されており、ＰＣ３００から、記録する画像や文字などの記録データが入力される。また、制御基板４３には、パネル制御回路７２が組み込まれたパネル制御基板３９が接続されており、操作パネル８からの各種操作が、パネル制御回路７２を介して、インクジェットプリンタ１の動作に関する各種信号として制御基板４３に入力される。
【００６０】
制御基板４３には、受信した記録データに基づいてインクジェットヘッド１８等を有するプリンタ部４の記録動作を制御する記録制御回路７３、給紙機構５による給紙動作を制御する給紙制御回路７４、メンテナンスユニット６によるメンテナンス動作を制御するメンテナンス制御回路７５、スキャナ部７による記録用紙のスキャンを制御するスキャナ制御回路７６、ヘッド通信部４０とのＲＦＩＤによる通信を制御するヘッド用通信制御回路７７、通信端末２００とのＮＦＣによるデータ通信を制御する通信端末用通信制御回路７８等、種々の回路が組み込まれている。
【００６１】
以下、ヘッド用通信制御回路７７によって制御されるＲＦＩＤによる通信（ヘッド情報の受信）について説明する。ヘッド用通信制御回路７７は、ヘッド用アンテナ４１の通信モジュール４１ａと接続されている。ヘッド通信部４０は、アンテナ４０ａ、制御回路４０ｂ等を有する。アンテナ４０ａは、ヘッド用アンテナ４１から発信される電波を受信し、電磁誘導により電力を発生する。また、アンテナ４０ａは、制御回路４０ｂにより制御され、制御回路４０ａが記憶するヘッド情報を電波として発信する。制御回路４０ｂは、アンテナ４０ａにより電力を供給されて動作し、ヘッド通信部４０を制御するとともに、ヘッド情報を記憶する。
【００６２】
インクジェットプリンタ１において、ＲＦＩＤによるヘッド通信部４０との通信は、メンテナンス制御回路７５により制御されるキャップ２３のキャッピング時に開始される。キャッピング時に、ヘッド用通信制御回路７７は、通信モジュール４１ａを介して、ヘッド用アンテナ４１から電波を発信する。ヘッド通信部４０のアンテナ４０ａは、電波を受信すると、制御回路４０ｂに電力を供給する。制御回路４０ｂは、記憶しているヘッド情報を電波としてアンテナ４０ａより発信する。ヘッド用アンテナ４１が、ヘッド通信部４０より発信される電波を受信すると、ヘッド用通信制御回路７７は、受信された電波からヘッド情報を抽出し、記録制御回路７３に出力する。記録制御回路７３は、ヘッド情報に基づいて、インクジェットヘッド１８に供給される電圧の調整等を行う。このようにして、ヘッド用アンテナ４１は、ヘッド通信部４０から、現在取り付けられている記録ヘッドユニット１３に関する情報（ヘッド情報）を電波として取得する。
【００６３】
次に、通信端末用通信制御回路７８によって制御されるＮＦＣによる通信（記録データの受信）について説明する。通信端末用通信制御回路７８は、通信端末用アンテナ４２の通信モジュール４２ａと接続されている。インクジェットプリンタ１において、ＮＦＣによる通信端末２００との通信は、ユーザが操作パネル８の液晶ディスプレイ３８を操作して所定の指令を入力することによって開始される。通信開始の指令が入力されると、通信端末用通信制御回路７８は、通信端末２００と通信を行う。このとき、ユーザによって通信端末２００が操作パネル８の所定位置に設置され、通信端末２００との通信が正常であれば、そのまま記録データの受信が完了する。一方、所定の時間経過しても、通信端末２００との通信が正常でなければ、液晶ディスプレイ３８に通信が正常ではない旨のメッセージを表示させる。このようにして、通信端末用アンテナ４２によって受信された記録データは、ＰＣ３００から受信した記録データと同様に、通信端末用通信制御回路７８から記録制御回路７３へ送られ、この記録データに基づいてプリンタ部４による記録動作が制御される。なお、ヘッド通信部４０とヘッド用アンテナ４１との通信時においては、これらの通信に影響を与えないよう、通信端末用通信制御回路７８は、通信端末用アンテナ４２が機能しないよう制御している。
【００６４】
以上説明した本実施形態に係るインクジェットプリンタ１は、記録用紙１００に記録を行う記録ヘッドユニット１３と、記録ヘッドユニット１３に取り付けられたヘッド通信部４０と、ヘッド通信部４０と近距離無線通信によって通信可能なヘッド用アンテナ４１と、外部から近づけられる通信端末２００と近距離無線通信によって通信可能な通信端末用アンテナ４２と、を備え、通信端末用アンテナ４２は、ヘッド通信部４０から発信される電波が届かない位置にある。
【００６５】
このように構成された本実施形態に係るインクジェットプリンタ１では、ヘッド用アンテナ４１と記録ヘッドユニット１３に取り付けられたヘッド通信部４０との間で近距離無線通信が行われることによって、インクジェットヘッド１８の記録特性等の記録ヘッドユニット１３に関する情報（ヘッド情報）が取得される。一方、通信端末用アンテナ４２と外部の通信端末２００との間で近距離無線通信が行われることによって、記録データの受信等が行われる。ここで、ヘッド通信部４０から発信される電波が通信端末用アンテナ４２には届かない構成となっているため、通信端末用アンテナ４２とヘッド通信部４０との間で通信が成立しない。従って、ヘッド通信部４０により、通信端末用アンテナ４２と通信端末２００との間の通信が妨げられない。これにより、通信端末用アンテナ４２と通信端末２００との間の通信が干渉を受けることなく常に良好に行われる。
【００６６】
また、記録ヘッドユニット１３は、所定の走査方向（左右方向）に移動しつつ記録用紙１００に記録を行い、通信端末用アンテナ４２は、記録ヘッドユニット１３の走査方向（左右方向）における位置にかかわらずヘッド通信部４０から発信される電波が届かない位置にある。このように、記録ヘッドユニット１３は、走査方向に移動しつつ記録用紙１００に記録を行うため、記録ヘッドユニット１３に取り付けられたヘッド通信部４０は、記録ヘッドユニット１３とともに移動する。このため、ヘッド通信部４０は、通信端末２００と無線通信を行う通信端末用アンテナ４２と近接した位置（左右方向の左端側）を取り得るが、記録ヘッドユニット１３の位置にかかわらず、ヘッド通信部４０から発信される電波が通信端末用アンテナ４２には届かない構成となっている。従って、通信端末用アンテナ４２とヘッド通信部４０との間で通信が成立しないため、ヘッド通信部４０により、通信端末用アンテナ４２と通信端末２００との間の通信が妨げられない。これにより、通信端末用アンテナ４２と通信端末２００との間の通信が干渉を受けることなく常に良好に行われる。
【００６７】
また、記録ヘッドユニット１３は、インクの液滴をそれぞれ噴射する複数のノズル２０を有するインクジェットヘッド１８を備え、インクジェットプリンタ１は、複数のノズル２０を覆うように記録ヘッドユニット１３に装着可能なキャップ２３を備え、キャップ２３に、ヘッド用アンテナ４１が取り付けられている。このように、記録ヘッドユニット１３に装着されるキャップ２３に、ヘッド用アンテナ４１が取り付けられているため、記録ヘッドユニット１３に取り付けられたヘッド通信部４０とヘッド用アンテナ４１との間で、非常に短い距離での近距離無線通信が可能となる。また、キャップ２３は、インクジェットプリンタ１に必要な部材であるため、ヘッド用アンテナ４１を取り付ける新たな部材を設ける必要がない。
【００６８】
また、キャップ２３は、記録ヘッドユニット１３の移動範囲の所定位置（左右方向の右端側）に配置されており、記録ヘッドユニット１３が所定位置にあるときに複数のノズル２０を覆うように記録ヘッドユニット１３に装着可能である。
【００６９】
また、キャップ２３が記録ヘッドユニット１３に装着された状態において、ヘッド用アンテナ４１は、インクジェットヘッド１８に接触しない。従って、ヘッド用アンテナ４１にインクジェットヘッド１８が噴射したインクの一部が周囲に飛散したインクミストが付着し、通信に影響が出ることが防止される。また、ヘッド用アンテナ４１が、インクジェットヘッド１８が前記のインクミストが付着するなどして汚れている場合に、その状態でヘッド用アンテナ４１がインクジェットヘッド１８に接触してインクジェットヘッド１８が汚れることが防止される。
【００７０】
また、キャップ２３が記録ヘッドユニット１３に装着された状態において、ヘッド通信部４０とヘッド用アンテナ４１とは通信可能であり、キャップ２３が記録ヘッドユニット１３に装着されていない状態において、ヘッド通信部４０とヘッド用アンテナ４１とは通信不能である。すなわち、ヘッド通信部４０から発信される電波の到達可能距離が非常に短いため、ヘッド通信部４０により、通信端末２００との間の通信を妨げられる可能性のある通信端末用アンテナ４２の配置の自由度が増す。
【００７１】
また、ヘッド用アンテナ４１は、記録ヘッドユニット１３の移動範囲の走査方向（左右方向）における一端側（右端側）に設けられ、通信端末用アンテナ４２は、記録ヘッドユニット１３の移動範囲の走査方向（左右方向）における他端側（左端側）に設けられている。このように、ヘッド用アンテナ４１と通信端末用アンテナ４２とが記録ヘッドユニット１３の走査方向において互いに反対側に位置している。従って、記録ヘッドユニット１３に取り付けられたヘッド通信部４０とヘッド用アンテナ４１との間の無線通信時の電波が通信端末用アンテナ４２に到達しにくい。
【００７２】
また、ヘッド通信部４０から発信される電波の到達可能距離Ｌ１が、通信端末用アンテナ４２から発信される電波の到達可能距離Ｌ２よりも短いため、ヘッド通信部４０により通信端末２００との間の通信を妨げられる可能性のある通信端末用アンテナ４２を設ける場所の制約が小さくなり、通信端末用アンテナ４２の配置の自由度が増す。なお、電波の「到達可能距離」は、通信規格、各通信部から発信される電波の周波数、電波強度（振幅）、あるいは、周囲に電波の伝播を阻害する導電部材等が存在するか否か、等の様々な条件に左右される。
【００７３】
また、インクジェットヘッド１８の少なくとも一部分が金属材料で形成されているため、ヘッド通信部４０の近くに金属材料（導体）が存在する。従って、ヘッド通信部４０から発信される電波が周囲に広がりにくく、電波の到達可能距離が短くなる。また、本実施形態においては、図３及び図４に示すように、ヘッド通信部４０は、インクジェットヘッド１８の下方に位置しているため、ヘッド通信部４０の上方に位置するインクジェットヘッド１８が、インクジェットヘッド１８よりも上方に位置する通信端末用アンテナ４２及び操作パネル８の所定位置に設置された通信端末２００から発信される電波をシールドする役割を果たしている。
【００７４】
また、記録ヘッドユニット１３は交換可能に構成され、ヘッド用アンテナ４１は、ヘッド通信部４０から、現在取り付けられている記録ヘッドユニット１３に関する情報（ヘッド情報）を取得する、このように、ヘッド用アンテナ４１により、ヘッド通信部４０から、現在取り付けられている記録ヘッドユニット１３に関する情報が取得されるから、記録ヘッドユニット１３が新しいものと交換されたときに、ヘッド用アンテナ４１によりヘッド通信部４０との間の通信が行われて、新しい記録ヘッドユニットに関する情報（ヘッド情報）が取得される。そして、記録制御回路７３は、取得されたヘッド情報に基づいて、インクジェットヘッド１８に供給される電圧の調整等を行う。
【００７５】
以上、本発明の実施形態について説明したが、本発明を適用可能な形態は、上述の実施形態には限られるものではなく、以下に例示するように、本発明の趣旨を逸脱しない範囲で適宜変更を加えることが可能である。
【００７６】
上述の実施形態においては、インクジェットプリンタ１は、所定の走査方向に移動しつつ記録用紙１００に記録を行うシリアル型のインクジェット方式の記録方式となっているが、シリアル型のインクジェット方式に限られず、ライン型のインクジェット方式であってもよい。図７は、本発明をライン型のインクジェット方式に適用した例を示す図である。ライン型のインクジェット方式の場合、インクジェットヘッド４４は、記録用紙の幅方向（左右方向）に沿って固定して配置されており、移動しない。また、インクジェットヘッド４４の下面に設けられる複数のノズル４５も、記録用紙１００の幅方向（左右方向）に沿って配列されている。そして、インクジェットヘッド４４を備える記録ヘッドユニット４６は、記録用紙の幅方向（左右方向）に亘って、プリンタ筐体２内に存在することになる。ここで、ヘッド通信部４０が、記録ヘッドユニット４６のいずれの位置に設けられたとしても、記録ヘッドユニット４６は、プリンタ筐体２内において、後方に位置しているから、ヘッド通信部４０は、プリンタ筐体２内の後方に位置し、通信端末用アンテナ４２は、プリンタ筐体２内の前方に位置する。従って、ヘッド通信部４０と通信端末用アンテナ４２とは、プリンタ筐体２内の記録用紙１００の搬送方向の前方と後方の離れた位置にあり、通信端末用アンテナ４２は、ヘッド通信部４０から発信される電波の到達可能距離Ｌ１よりもヘッド通信部４０から遠い位置に位置する。このため、プリンタ筐体２後方においてヘッド通信部４０から発信される電波は、プリンタ筐体２前方に位置する通信端末用アンテナ４２には届かない。また、ヘッド通信部４０を、図７に示すように、記録ヘッドユニット４６の、通信端末用アンテナ４２と記録用紙１００の幅方向（左右方向）における反対側の端部（右端部）に取り付ければ、ヘッド通信部４０と通信端末用アンテナ４２とは、記録用紙１００の幅方向（左右方向）における両端に位置し、距離が遠いため、より一層、ヘッド通信部４０から発信される電波が通信端末用アンテナ４２に届かなくなる。
【００７７】
また、上述の実施形態においては、インクジェットプリンタ１がシリアル型のインクジェット方式であるため、キャップ２３は、記録ヘッドユニット１３の移動範囲の所定位置（記録ヘッドユニット１３の移動範囲の走査方向における一端側（右端側））に配置されており、記録ヘッドユニット１３がこの所定位置（待機位置）にあるときに複数のノズル２０を覆うように記録ヘッドユニット１３に装着可能となっている。上述のライン型のインクジェット方式の場合、キャップ４７は、図７に示すように、インクジェットヘッド４４の下面と対向するキャッピング位置と、インクジェットヘッド４４から記録用紙１００の幅方向（左右方向）に退避した退避位置（図７に示されている位置）に亘って移動可能に構成されている。また、キャップ４７は、キャッピング位置にあるときに上下方向に昇降されるようになっており、キャッピング位置で上方に移動し、複数のノズル４５を覆うように記録ヘッドユニット４６に装着可能となっている。このようなライン型のインクジェット方式の場合、キャップ４７の、ヘッド通信部４０が取り付けられている下方の位置に、ヘッド用アンテナ４１を設ければよい。
【００７８】
また、上述の実施形態においては、ヘッド通信部４０は、記録ヘッドユニット１３下部のインクジェットヘッド１８に設けられていたが、これに限られない。例えば、図８に示すように、記録ヘッドユニット１３の下面であって、インクジェットヘッド１８の側方（右側）に設けられていてもよい。しかしながら、上述の実施形態のように、ヘッド通信部４０と通信端末用アンテナ４２との間に、少なくとも一部分が金属材料で形成されたインクジェットヘッド１８が位置するようにすれば、インクジェットヘッド１８が、通信端末用アンテナ４２及び操作パネル８の所定位置に設置された通信端末２００から発信される電波をシールドする役割を果たすというメリットがある。例えば、インクジェットヘッド１８よりもパネル制御基板３９が下方にあるため、パネル制御基板３９に設けられた通信端末用アンテナ４２がインクジェットヘッド１８よりも下方にある場合は、インクジェットヘッド１８の上方にヘッド通信部４０を設ければ、インクジェットヘッド１８が、通信端末用アンテナ４２及び操作パネル８の所定位置に設置された通信端末２００から発信される電波をシールドする役割を果たす。
【００７９】
また、上述の実施形態においては、ヘッド用アンテナ４１は、キャップ２３に取り付けられているが、キャップ２３に取り付けられていなくてもよい。例えば、図９に示すように、制御基板４３が、プリンタ筐体２内の記録ヘッドユニット１３の走査方向（左右方向）における一端側（右端側）に、プリンタ筐体２の内壁面に沿って配置されている場合、記録ヘッドユニット１３の待機位置において、ヘッド通信部４０と通信が可能な制御基板４３上の位置にヘッド用アンテナ４１を設けてもよい。また、記録ヘッドユニット１３の待機位置において、ヘッド通信部４０と通信が可能な制御基板４３の近傍位置にヘッド用アンテナ４１を設け、ヘッド用アンテナ４１と制御基板４３とをハーネス等で接続するようにしてもよい。
【００８０】
また、上述の実施形態では、インクカートリッジ１９は記録ヘッドユニット１３に保持され、記録ヘッドユニット１３とともにインクカードリッジ１９が走査方向を移動するようになっていたが、インクカートリッジ１９が記録ヘッドユニット１３に保持される態様でなくてもよい。例えば、図１０に示すように、プリンタ筐体２内の前方かつ右方に、インクカートリッジ１９が装着されるホルダ４８を設け、このホルダ４８にインクカートリッジ１９が装着されるようにしてもよい。ホルダ４８の前方には、プリンタ筐体２に、開閉蓋４９が設けられる。また、キャリッジ５０の下面には複数のノズル５１を有するインクジェットヘッド５２が設けられており、このインクジェットヘッド５２には、ホルダ４８と接続された図示しないチューブを介して、ホルダ４８に装着されたインクカートリッジ１９のインクが供給される。
【００８１】
また、上述の実施形態においては、キャップ２３が記録ヘッドユニット１３に装着された状態において、ヘッド通信部４０とヘッド用アンテナ４１が通信可能であり、キャップ２３が記録ヘッドユニット１３に装着されていない状態において、ヘッド通信部４０とヘッド用アンテナ４１とは通信不能となっているが、キャップ２３が記録ヘッドユニット１３に装着されていない状態において、ヘッド通信部４０とヘッド用アンテナ４１とが通信可能であってもよい。この場合であっても、上述のとおり、ヘッド通信部４０から電波が発信される状態において（キャッピング時）、ヘッド通信部４０と通信端末用アンテナ４１とは、記録ヘッドユニット１３の移動範囲の走査方向（左右方向）における両端に位置し、距離が遠いため、ヘッド通信部４０から発信される電波は、通信端末用アンテナ４２に届かない。
【００８２】
また、上述の実施形態においては、ヘッド用アンテナ４１は、記録ヘッドユニット１３の移動範囲の走査方向（左右方向）における一端側（右端側）に設けられ、通信端末用アンテナ４２は、記録ヘッドユニット１３の移動範囲の走査方向（左右方向）における他端側（右端側）に設けられていたが、これに限られない。例えば、ヘッド用アンテナ４１と通信端末アンテナ４２とが、記録ヘッドユニット１３の移動範囲の走査方向（左右方向）における同じ端側に設けられていてもよい。また、例えば、ヘッド用アンテナ４１が、記録ヘッドユニット１３の移動範囲の走査方向（左右方向）の中央付近に設けられ、通信端末用アンテナが、記録ヘッドユニット１３の移動範囲の走査方向（左右方向）のいずれかの端側に設けられていてもよい。
【００８３】
また、上述の実施形態においては、インクジェットヘッド１８の少なくとも一部分が金属材料で形成されていたが、金属材料で形成されていなくてもよい。
【００８４】
また、上述の実施形態では、記録ヘッドユニット１３は交換可能に構成されていたが、交換可能でなくてもよい。ここで、「交換可能」とは、記録ヘッドユニット１３がキャリッジ１２に対して、ネジ等により固定されておらず、キャリッジ１２から記録ヘッドユニット１３を容易に取り外し可能であり、また、キャリッジ１２に記録ヘッドユニット１３を容易に取り付け可能であることを意味する。例えば、キャリッジ１２に係止部を、記録ヘッドユニット１３に係合部を設け、これらが係合され、また、これらの係合が解除されるようにすることにより、キャリッジ１２から記録ヘッドユニット１３を容易に取り外し可能に、また、キャリッジ１２に記録ヘッドユニット１３を容易に取り付け可能にすることができる。なお、記録ヘッドユニットがキャリッジにネジ等で固定され、「交換可能」でない場合であっても、例えば、メンテナンスのため、サービスマンが記録ヘッドユニットをネジ等で固定されたキャリッジから取り外し、新しいものに交換することは可能である。
【００８５】
また、上述の実施形態においては、ヘッド用アンテナ４１が、ヘッド通信部４０から、現在取り付けられている記録ヘッドユニット１３に関する情報（ヘッド情報）を取得するようになっていたが、ヘッド通信部４０がヘッド用アンテナ４１から情報を取得するようにしてもよい。ヘッド通信部４０がヘッド用アンテナ４１から取得する情報としては、記録ヘッドユニット１３に対する各種の指示情報が挙げられる。例えば、記録ヘッドユニット１３の圧電アクチュエータの使用時間をインクジェットプリンタ１側で計測し、所定の時間が経過した場合に、ヘッド用アンテナ４１は、ヘッド通信部４０に圧電アクチュエータの電圧値を上げるための指示情報を電波として発信する。ヘッド用アンテナ４１からこの指示情報が電波として発信されると、ヘッド通信部４０は、指示情報を電波として受信する。そして、記録ヘッドユニット１３において、圧電アクチュエータの電圧値が所定値に変更される。また、ヘッド用アンテナ４１が、ヘッド通信部４０から取得する情報は、記録ヘッドユニット１３に関する情報に限られず、例えば、記録ヘッドユニット１３にインクカートリッジ１９が正しく搭載されているか等の情報であってもよい。
【００８６】
また、上述の実施形態においては、ＲＦＩＤにより、ヘッド通信部４０とヘッド用アンテナ４１との間で近距離無線通信を行っているが、ＲＦＩＤに限られず、ＮＦＣ等により、近距離無線通信を行う構成であってもよい。また、周波数帯は、短波帯に限られず、１２０〜１２５ＫＨｚの長波帯等であってもよい。
【００８７】
また、上述の実施形態においては、ＮＦＣにより、インクジェットプリンタ１と通信端末２００間で近距離無線通信を行っているが、ＮＦＣに限られず、ＲＦＩＤ等により、近距離無線通信を行う構成であってもよい。ＲＦＩＤにより近距離無線通信を行う場合、短波帯や長波帯の周波数帯を採用することができる。また、通信端末は、携帯電話やスマートフォンに限らず、ＩＣカード、ＩＣタグ等であってもよい。また、近距離無線通信により通信されるデータは、記録データに限らず、例えば、インクジェットプリンタへのログイン情報等であってもよい。
【００８８】
また、上述の実施形態においては、インクジェットプリンタ１は、記録用紙１００に記録を行うシリアル型のインクジェット方式の記録方式となっているが、回路基板や液晶ディスプレイを作成するインクジェット方式であってもよい。また、インクジェット方式の記録装置に限られず、被記録媒体として感熱紙に記録を行うサーマルプリンタや昇華性インクによる熱転写方式のサーマルプリンタ等の記録装置であってもよい。
【符号の説明】
【００８９】
１  インクジェットプリンタ（記録装置）
４  プリンタ部
６  メンテナンスユニット
８  操作パネル
１２  キャリッジ
１３  記録ヘッドユニット
１８  インクジェットヘッド
１９  インクカートリッジ
２０  ノズル
２３  キャップ
３８  液晶ディスプレイ
３９  パネル制御基板
４０  ヘッド通信部
４１  ヘッド用アンテナ（第１通信部）
４２  通信端末用アンテナ（第２通信部）
７７  ヘッド用通信制御回路
７８  通信端末用通信制御回路
１００  記録用紙（被記録媒体）
２００  通信端末
【図１】
2014004755.tif 000003
【図２】
2014004755.tif 000004
【図３】
2014004755.tif 000005
【図４】
2014004755.tif 000006
【図５】
2014004755.tif 000007
【図６】
2014004755.tif 000008
【図７】
2014004755.tif 000009
【図８】
2014004755.tif 000010
【図９】
2014004755.tif 000011
【図１０】
2014004755.tif 000012